(57)【特許請求の範囲】
【請求項１】
湿気硬化剤と、２つの主要な縦方面伸張側面と２つの折り畳まれた末端とを有した柔軟性液体透過性基体とを有した医療用包帯製品であって、
該柔軟性液体透過性基体は編織布及び／又は管状繊維体であり、前記硬化剤を前記基体上に保持していることを特徴とする医療用包帯製品。
【請求項２】
基体が１本の平坦編織布を含む、請求項１に記載の医療用包帯製品。
【請求項３】
基体が編織管状繊維体を含む、請求項１に記載の医療用包帯製品。
【請求項４】
基体は、繊維を相互に＋／−４５度で編成してなる、請求項１に記載の医療用包帯製品。
【請求項５】
湿気硬化剤を編織布及び／又は管状繊維体に適用する工程を含む、請求項１に記載の医療用包帯製品の製造方法。
【請求項６】
基体が１本の平坦編織布を含む、請求項５に記載の医療用包帯製品の製造方法。
【請求項７】
基体が編織管状繊維体を含む、請求項５に記載の医療用包帯製品の製造方法。
【請求項８】
包帯具システムであって、請求項１記載の包帯製品を容器内に含んでおり、該容器は防湿気性の湿気不浸透性包装体を再密封手段とともに含んでおり、望む長さの包帯製品が引き出された後に湿気の侵入を防止することを特徴とする包帯具システム。
【請求項９】
包帯製品を保護している容器が、湿気を含まない湿気不透過性拡張製品保存包装を含み、それは分配スリーブの１つの末端と一体化し、連絡しており、そのスリーブを通して容器内の医療用包帯製品が分配され、分配スリーブの遠位末端は開放可能であり、再密封の方法を備える、請求項８に記載の包帯具システム。
【請求項１０】
医療用包帯製品のコイルを包装内に配置し、拡張分配スリーブを医療用包帯製品の末端の周囲に適合させた、請求項８に記載の包帯具システム。
【発明の詳細な説明】
【０００１】
【発明の属する技術分野】
本発明は整形外科医学の分野に関し、さらにとりわけ湿気硬化樹脂および柔軟性透過性基体からなる改善医用包帯、そのような医用包帯産物の製造の方法、および湿気の侵入に対して包装を再密封するための方法を備える湿気不浸透性包装内にそのような包帯を含む包帯具システムに関する。
【０００２】
【従来の技術及び発明が解決しようとする課題】
身体部位の固定を必要とする骨折のようなけがの治療で使用される治療用包帯は一般的に、身体の一部分のまわりを覆った後に、硬い構造内に固める基体でしみ込ませた繊維またはスクリム物質の一片より形成される。本手順の実施で伝統的に使用されてきた固定化基体は、石膏である。
【０００３】
従来の実施は、最初に手足に綿繊維または類似のものの保護的覆いを適用し、次いで適用の直前に水に浸すことでぬらしたPlaster of Parisを含浸した織り布で、覆いおよび手足を重ねて覆うことによってけがをした手足上で作成すること、または副子をすることであった。これはまた幅広い範囲で使用されるが、しかしいくつかの明白な不都合を持っている。たとえば、上述した適用手順は面倒であり、時間がかかる。いくつかの成分が必要であり、相当な技術を必要とする。
【０００４】
石膏ギブス包帯および副子に対する適用手順の上述した不都合を緩和するために、一体型副子製品が考案され、たとえば米国特許第3,900,024号、第3,923,049号および第4,235,228号に開示されている。
【０００５】
すべてのこれらの特許は、布に含浸させた石膏の多重層を持つ詰め物物質を記述している。
【０００６】
そのような一体型副子製品は、面倒ではなく、より素早く適用できるけれども、まだ多くの石膏に内在する不都合を持っている。
【０００７】
すべての石膏副子は、比較的小さな強度対重量比を持ち、これは結果としてとても重く分厚い完成副子となる。
【０００８】
石膏副子は、固まるのが遅く、最大強度に達するまでに２４〜７２時間を必要とする。石膏は水中で壊れるので、入浴することおよびシャワーを浴びることは困難である。
【０００９】
これらの原因によって濡れることは避けることができるけれども、長期間での発汗により石膏は壊れ、臭気とかゆみの明らかな問題を引き起こす。
【００１０】
ギブスおよび副子を施すことの技術分野での明らかな発展が、米国特許第4,411,262号および第4,502,479号で開示されている。
【００１１】
これらの特許で開示されたギブス材には、湿気のない、湿気不浸透性包装内に密封した湿気硬化樹脂を含浸した柔軟性のある繊維が含まれる。
【００１２】
石膏と比較して、これらの製品はきわめて軽量であり、とても大きな強度対重量比を持ち、比較的多孔性に作製することができ、空気の流れがギブス材を通ることを許容する。
【００１３】
先行技術湿気硬化システムには、その中に、湿気硬化樹脂を含浸した多数の繊維ガラスのような繊維の層を含有する包装が含まれる。
【００１４】
包装を再密閉するための準備はされておらず、ゆえに、そのような湿気硬化樹脂が単に外気の湿気と接触することにより比較短い時間で硬化する可能性があるので、すべての物質は包装より取り出した後にとても素早く使用されなければならない。
【００１５】
本技術は、米国特許第4,770,299号、第4,869,049号、第4,899,738号、第5,003,970号および第5,415,622号で例示されたように、軽量化、副子の適用のしやすさを可能にする。そのような副子は現在治療用副子として市場で優位を占めている。
【００１６】
しかしながら、公知の繊維は、繊維たとえば繊維ガラスが切断された場合に、副子製品より突き出た切断繊維および織り糸が残る可能性があるという不都合を持つ。
【００１７】
製造に際して、本繊維は比較的やわらかく、柔軟性があり、比較的よい整合性を持つ。さらにこの基体は完全に周囲の詰め物物質で覆われている。
【００１８】
しかしながら硬化した後に、切断繊維および織り糸は、硬くなり針様となる。これらの突起は、詰め物物質の厚さを通して、患者の皮膚と接触し、つきささり、切り傷、かぶれ、かゆみを引き起こす。
【００１９】
さらに、平坦繊維を使用した副子製造工程は、基体を産出するために繊維を他の繊維層、通常４〜８層と重ねて覆わなければならないので、比較的難航する。正確に基体を形成するために、重ねられた層は、幅および厚さが等しくなるように注意深く整列させなければならない。
【００２０】
多重に重ねられた層を一緒に縫う段階では、より労力が必要である。そのような多重繊維はかさばる傾向にあり、高い割合の樹脂を必要とする可能性があり、これはさらに最終的な産物の重量に添加される。いくつかの層というのは、繊維が扱いにくく、それによってそれぞれの追加層が柔軟性を減少させる可能性があることを意味しうる。
【００２１】
高価ではなく簡単に入手可能であるので、ギブスおよび副子製品の基体のために使用するほとんどの繊維は、編み物繊維である。しかしながら編み物繊維は、横方向整合性が限られる可能性があるという不都合を持つ。
【００２２】
編み物製品はまた、ねじれ剛性が限られ、方向性特異的性質を持つという不都合をもち、これらは特定の傷の処置に対して重要であり得る。
【００２３】
織物整形外科用製品の直線繊維はしばしば、比較的多量の硬化剤、典型的には全重量の４０重量％を必要とする。
【００２４】
以上の議論より、従来の石膏副子方法と、より最近の湿気硬化樹脂ギブス方法両方が、利点と欠点の両方を持っていることがわかる。
【００２５】
一方で、湿気硬化樹脂ギブス包帯は軽く、丈夫で、比較的適用が容易であるのに対して石膏ギブス包帯はかさばり、重くそして適用が困難である。
【００２６】
石膏は、完全に湿らない限り比較的長い保管期間を持つために、とても簡単に保存でき、必要に応じて使用できる。
【００２７】
他方、湿気硬化樹脂は、少量の湿気の存在にもとても敏感であり、物質がさまざまな異なる形状および大きさで包装されるか、使用しない部分を廃棄するかいずれかが必要であり、相当な量の消費を発生させ、製品の有効なコストを増加させる。
【００２８】
したがって、基体の形成後にさらなる作成工程を必要とすることなしに、寸法が一様である基体を持つ包帯製品を提供することが本発明の目的である。
【００２９】
強度のためにさらなる層を必要としない、編織基体または管状繊維体を持つ包帯製品を提供することが本発明の目的である。
【００３０】
管状編織繊維構造を包帯基体として使用する包帯製品を提供することが本発明の目的である。
【００３１】
それらのそれぞれの不都合を避けつつ、石膏と湿気硬化樹脂システム両方の利点を結合させる包帯製品を提供することも本発明の目的である。
【００３２】
【課題を解決するための手段】
したがって、本発明の第一の観点に従い、請求項１に記載した発明の如き、湿気硬化剤と、２つの主要な縦方面伸張側面と２つの折り畳まれた末端とを有した柔軟性液体透過性基体とを有した医療用包帯製品であって、該柔軟性液体透過性基体は編織布及び／又は管状繊維体であり、前記硬化剤を前記基体上に保持していることを特徴とする医療用包帯製品が提供される。
【００３３】
１つの実施形態において、基体はその構造内及び（又は）構造上に硬化剤を持つ可能性があり、簡単に硬化および適用する状態にある。
【００３４】
驚くべきことに、包帯製品の柔軟性のある透過性基体に対する編織布及び（又は）管状繊維体の使用が、硬化する前にはよい整合性を持って扱いやすいけれども、硬化の後には硬く強固な整形外科用製品となるような製品を与えることがわかった。
【００３５】
これにより、同様の重量の製品に関する先行技術のギブス包帯に比べて、より強くそして摩擦に対してよりよい包帯または副子製品のような整形外科用製品が得られる。したがって本発明の包帯製品は整形外科用ギブス包帯または副子としてより長い有用な耐用期間を持っている。
【００３６】
本発明によって記述したようなより強いギブス包帯を持つことによって、また包帯製品を硬化するのに使用するための硬化剤が少なくてすみ、したがってより安くなり、製造するのが簡単である。
【００３７】
本発明で記述したような包帯製品に関して、少ない硬化剤と繊維層を使用することにより、整形外科ギブス包帯または副子のために必要とされる要求された強度を持っているより軽い製品が得られる。
【００３８】
硬化させるために少ない硬化剤を持つことはまた、発熱、使用者に不快である可能性のある硬化において産出される熱を減少させる。
【００３９】
１つの実施形態において、基体は織られたものである可能性がある。
【００４０】
驚くべきことに、編織布及び（又は）管状構造は、強度の添加およびねじれ剛性の増強を含む力学的特性を増強させることがわかってきた。
【００４１】
本発明の第二の観点に従って、請求項５に記載した発明の如き、湿気硬化剤を編織布及び（又は）管状繊維体に適用する工程を含む、湿気硬化剤を前記基体上に保持している医療用包帯製品の製造方法が提供される。１つの実施形態において、基体は編み物でありうる。
【００４２】
（石膏と湿気硬化樹脂システムそれぞれの不都合を避けながら、両方の利点を組み合わせた包帯製品を産出するための）本発明の最後の目的は、強度および便利性が改善された一体型副子システムを提供することによって成し遂げられる。
【００４３】
したがって、本発明の第三の観点において、望ましい長さの包帯製品を使用に際して取り出した後に、湿気の侵入に対して包装を再密封するための方法を備える、湿気不浸透性包装内の基体内及び（又は）基体上に湿気硬化剤を含む包帯製品を含む包帯具システムが提供される。
【００４４】
この様式において、保湿不透過性包装内に残っている包帯製品の硬化は防止され、それによってこのシステムの費用効果が増加される。
【００４５】
本発明の第三の観点の１つの実施形態において、編織布及び（又は）管状である基体内及び（又は）基体上に湿気硬化剤を含む包帯製品を含んでいる包帯具システムが提供される。
【００４６】
包帯製品内に含まれる基体の編織布及び（又は）管状繊維体は、さまざまな明らかな都合のよい実施形態で提供されてよい。たとえば、請求項２又は請求項６に記載の発明のように、１本の平坦な編織布として形成された、たとえば革ひものような非管状編織布であってよい。
【００４７】
あるいは、請求項３又は請求項７に記載の発明のように、周囲で輪になり、好適には本発明の管状構造を形成するように結合した１本の平坦物質の合わせ目より縫った管であってよく、好ましくは平坦の未処理末端が管の内部に位置する。
【００４８】
上記のように、周囲で輪を形成し、本発明の管状構造を形成するために好適に結合する物質は織られてよい。
【００４９】
包帯製品内に含まれる基体の編織布及び（又は）管状繊維体は、任意の好適な繊維または織り糸またはそれらの組合せより作られてよい。
【００５０】
好適な繊維には、好適な織り糸または単一繊維物質内に紡ぐことができ、織ることができる任意の天然または合成繊維を使用してよいが、ポリエステル繊維、炭素繊維およびジュートが含まれる。
【００５１】
好ましい実施形態では、編織布及び（又は）管状繊維体がガラス繊維を含む可能性があることが予見される。
【００５２】
伸張性および衝撃耐性のような望ましい特性を与えることを増強するために、たとえばポリプロピレン繊維のようなエラストマーなどの弾力的な繊維もまた、それのみまたは他の繊維との組合せで使用できる。
【００５３】
編織布及び（又は）管状繊維体の構造は、最初に編織布及び（又は）管状繊維体として製造されてよく、またはまず平面の、周囲で輪を形成し、本発明の編織布及び（又は）管状構造を形成するために好適に結合する任意に織られた生地として製造されてよい。
【００５４】
好ましくは、編織布及び（又は）管状繊維体は、最初に本発明で使用する状態である編織布及び（又は）管状構造として、たとえば革ひも内へのファイバーガラスのような好適な繊維の形で、織機上の１本の平坦な編織布の形で、または回転織機上の織られた１本の管内に製造される。
【００５５】
本発明の実施形態は、請求項４に記載の発明のように、名目上互いに＋／−４５度での繊維を持ってよく、したがって優れたねじれ剛性を示す。
【００５６】
編織布の繊維の角度は変化してよく、広範囲の異なるねじれ耐性特性を示す。
【００５７】
横または縦どちらかでの物質の伸縮性が、互いに関して繊維の角度を変化させる可能性がある。
【００５８】
編織布及び（又は）管状繊維体が縦に伸びたときに、繊維は編織布及び（又は）管状繊維体が横に伸びたときよりも、縦軸よりより小さな角度で縦方向にそって走る可能性があることが予見される。
【００５９】
縦に走る繊維の角度が縦軸から測定したときに小さい場合、基体は角度が大きい場合よりもより大きな縦強度を持つ。
【００６０】
同様に、横方向に走る繊維の角度が、横軸より測定したときに小さい場合、角度が小さい場合より大きな横強度をもつ。
【００６１】
ねじれ強度のさらなる変動が、一方向繊維の包含によって可能である可能性がある。
【００６２】
これらの繊維は、要求された望ましい効果に依存して縦または横に敷いてよい。そのような繊維は弾力性繊維であってよい。
【００６３】
簡単に言えば、編織布及び（又は）管状繊維体に異なる構造的特性、たとえばねじれ剛性を与えるのは繊維の方向である。
【００６４】
本発明によって、繊維方向を簡単に変更することが可能であり、したがって基体の広範囲の異なるねじれ剛性が可能となる。
【００６５】
本発明の包帯と共に使用した湿気硬化剤は、硬化した場合に整形外科支持製品を形成するために包帯を硬化させる任意の好適な薬剤であってよい。多くの商業的に入手可能は硬化剤が、石膏および合成樹脂を含み広く入手可能である。
【００６６】
好適な硬化剤には、（イギリス国出願公開公報第GB2092606A号および国際公開公報第WO86/01397号にて開示されたような）ポリオールの過剰ポリイソシアネートとの反応により形成したウレタン樹脂のような、ギブスまたは副子製品のための水硬化合成樹脂が含まれる。他の好適な薬剤には（国際公開公報第WO96/23531号にて開示された）アルコキシシラン末端化プレポリマーまたはアシル末端化プレポリマーが含まれる。
【００６７】
これらは同様の重量製品によるギブス包帯よりもより強く、摩擦に対してよりよい。
【００６８】
硬化剤は硬化の前に別々に基体に適用してよく、または基体が硬化剤を保持してよい。好ましい実施形態において、基体は簡単に硬化および適用できるように硬化剤を保持する可能性がある。
【００６９】
基体が硬化剤を保持することによって硬化製品を持つことが、基体のいたるところでの硬化剤の分散を確実にするのを助ける。
【００７０】
好適には、硬化剤は基体上に均一にコートされ、典型的には製品の全重量の２０％付近の硬化剤コーティングとなりうる。
【００７１】
編織布及び（又は）管状構造はまた、最終製品がさまざまな異なる厚さを持つことを可能にする。異なる環境において、厚いまたは薄い包帯が必要となり、編織布及び（又は）管状構造がそれに応じて形成されてよい。
【００７２】
構造の厚さは、異なる強度および剛性を示し、なにが要求されるかにしたがって、適切な厚さを選ぶことができる。
【００７３】
湿気硬化剤を編織布及び（又は）管状繊維体に適用する好適な方法には、ニップコーティングおよび含浸のような、ギブスまたは副子製品に関して湿気硬化剤を同様の基体に適用する従来の方法が含まれる。
【００７４】
１つの実施形態において、基体は織られている可能性があり、湿気硬化剤を編織布及び（又は）管状繊維体へ適用するそのような方法には、ニップコーティングおよび含浸にような、ギブスまたは副子製品に関する従来の方法が含まれる。
【００７５】
使用において、編織布及び（又は）管状繊維体を、任意に、たとえば泡またはＣＯＲＥＭＡＴＴＭ（ＣＯＲＥＭＡＴはブリティッシュ ビータ（Ｂｒｉｔｉｓｈ Ｖｉｔａの登録商標）の芯の上を引き、特別の強度または剛性度を構造に与えてよい。
【００７６】
異なる大きさの芯を、さまざま強度および剛性および厚さの製品を与えるために使用してよい。
【００７７】
芯は、編織布及び（又は）管状繊維体内に適切な場所に、いつでも使用できる状態で適用してよく、または別々に適用してよい。
【００７８】
芯を使用すべき場合の実施形態において、芯の幅は、望ましいねじれ剛性特性を持つように編織布及び（又は）管状繊維体に要求された正確な伸縮性を決定するために前もって決定してよい。異なった先に決定された芯の幅を、異なるねじれ剛性特性のために使用してよい。
【００７９】
異なる編織布、または異なる編織布の設計を、編織布及び（又は）管状構造に異なる特性を与えるために使用してよい。
【００８０】
たとえば、もし特性の増強が製品の長さにそって要求される場合、一方向の繊維を横にしてよい。ねじれ特性があまり重要でなければ、より幅のある編織布を使用してよく、繊維を一方向により近くもたらすように引く。
【００８１】
本発明の包帯製品は、使用の前に容器内に好適に保存することが予見される。即ち、請求項８に記載した発明のように、上記各構成を有する包帯製品を容器内に含んでおり、該容器は防湿気性の湿気不浸透性包装体を再密封手段とともに含んでおり、望む長さの包帯製品が引き出された後に湿気の侵入を防止することが可能な包帯具システムを提供するのである。
【００８２】
具体的には、本発明の包帯製品を保存するのに使用する容器は、乱暴に扱っても破れずまたは裂けないであろう任意の丈夫な耐久性破れ抵抗性物質からなってよいが、好ましくは手によって簡単に開けることができる。好ましくは、この物質は液体または気体に不浸透性であるべきである。
【００８３】
そのような物質はたとえばポリエチレンなどのような金属薄片、またはその薄板であってよい。
【００８４】
本発明の第三の観点において、包帯製品を保護する容器は、全包帯製品が一度に使用することを必要としないように、再び閉じることが可能であり得る。
【００８５】
好適な再密封方法が、包帯製品の容器を再密封するために使用される可能性がある。
【００８６】
包帯製品を保護している容器は、しばしば再び封じることが可能である湿気のない、湿気不浸透性包装を含み、したがって全包帯製品は一度に使用する必要がない。
【００８７】
包帯製品を保護している再び封じることが可能な容器に関する好適な物質および特性は、以上の包帯製品を保護している一般的な容器に関してのみ、実施例の方法にて記述されたものであり得る。
【００８８】
記述したように、それはたとえばポリエチレンなどのような金属薄片、またはその薄板からなってよい。
【００８９】
例のみの方法によって、包帯製品を保護している容器はしばしば、湿気のない湿気不浸透性拡張製品保存包装を含む可能性があり、それ分配スリーブの１つの末端と一体化し、連絡しており、そのスリーブを通して容器内の医療用包帯製品が分配される。即ち、請求項９に記載した包帯具システムの如く、包帯製品を保護している容器が、湿気を含まない湿気不透過性拡張製品保存包装を含み、それは分配スリーブの１つの末端と一体化し、連絡しており、そのスリーブを通して容器内の医療用包帯製品が分配され、分配スリーブの遠位末端は開放可能であり、再密封の方法を設けることが考えられる。
【００９０】
また、請求項１０に記載した包帯具システムの如く、医療用包帯製品のコイルを包装内に配置し、拡張分配スリーブを医療用包帯製品の末端の周囲にちょうど適合させてもよい。
【００９１】
分配スリーブの遠位末端は開放可能であるが、しかし再密封可能であり、したがって全包帯製品は一度に使用する必要がない。
【００９２】
医療用包帯製品は、容器内に残っている医療用包帯製品の空気への曝露を制限する相対的にきついコイル内に巻いてよい。
【００９３】
医療用包帯製品の末端の周囲の拡張分配スリーブのきちんとした適合によりまた、容器内に残っている医療用包帯製品の空気への曝露が制限される。
【００９４】
末端が適切に密封された場合、容器は十分に気密性であり、したがって医療用包帯製品は、容器内の医療用包帯製品の供給を使い果たすことが必要である通常の時間よりもより長くそのやわらかく、硬化していない状態を保つ。
【００９５】
開口部に近い医療用包帯製品の短い部分が硬化してしまった場合、切り取り捨てることができる。
【００９６】
好適な再密封方法は、熱密封またははさみ型クランプのような任意の好適な型のクランプで湿気の侵入に対してしっかりと容器内部を再密封することで成し遂げられうる。
【００９７】
密封機構の他の型は、たとえばバネ加重圧縮を持つやわらかく快適なガスケット装置、またはサンドイッチバッグや他の食品保存バッグで典型的な型のジッパーを完全に形成する「ジップ−ロック（「ジップロック」はエス・シー・ジョンソン・ホーム・ストーリッジ・インコーポレーテッド及び旭化成ライフ＆リビング株式会社の登録商標）」型、湿気耐性テープ、またはスリーブ内への湿気の侵入を防ぐのに十分な強さのスクリュー活性のようなものが可能性がある。
【００９８】
１つのとりわけ好適な装置は、圧縮が発生したときに少し後ろに巻き、医療用包帯製品をよりよい密封を許容するためにスリーブ内に少し押し戻すバネ付加ローラーの対である。
【００９９】
【好ましい実施の形態】
本発明はここで相当する図面に関して例のみの方法にて記述する。
【０１００】
図１は、本発明に記載の医療用包帯製品（１０）を示す。医療用包帯製品（１０）は７．２メートルのような任意の便利な長さで販売されてよく、たとえばコイル中にまき、好適な分配カートン（１１）内に配置する。
【０１０１】
分配カートン（１１）は１つの下の角にスロット（１２）を持ち、これを通して包帯製品（１０）が伸びる。
【０１０２】
包帯製品（１０）は一般的に、チューブを形成するためにその反対側にそって記名および熱密封した２つのラミネート加工した拡張シート領域のような、湿気不透過性物質を形成する外部拡張スリーブ（１３）を含む。
【０１０３】
外部層は裂け抵抗性プラスチックフィルムから成っている。
【０１０４】
中間層はアルミニウム薄片を含み、湿気バリアとして機能する。
【０１０５】
内部層は、湿気から守るようにスリーブ（１３）の内部を熱密封するのに好適な熱可塑性性質を持つプラスチックフィルムである。
【０１０６】
スリーブ（１３）は好ましくは、反対の平行した伸張側にそって熱密封し、拡張チューブを形成する。
【０１０７】
以下に詳細に記述した拡張医療用包帯製品（１４）はスリーブ（１３）内に位置し、分配するまで本質的に湿気のない状態で保持される。
【０１０８】
図２に示すように、スリーブ（１３）の末端ははさみ型クランプ（１５）のような密封方法にて密封される。
【０１０９】
他の型の密封機構も、たとえばバネ加重圧縮を備えるやわらかく、適合したガスケット器具、湿気耐性テープ、またはスリーブ（１３）内への湿気の侵入を防ぐのに十分な強度を持つスクリュー活性が可能である。
【０１１０】
１つのとりわけ好適な器具（図示していない）は、圧縮を行ったときに、わずかに後ろに巻き、よりよい密封を許容するためにスリーブ（１３）内に医療用包帯製品（１４）を少し押し戻す一対のバネ加重ローラーである。
【０１１１】
他の可能性のある密封方法（図示していない）は、医療用包帯製品（１４）をスリーブ（１３）内に十分な距離（およそ２．５ｃｍ）押し戻す器具であり、したがって開放末端スリーブ（１３）をもう一度熱密封しうる。
【０１１２】
適切な長さの医療用包帯製品（１４）は測定によって最もよく決定されるので、測定マーク「Ｍ」を、図３で最もよく示されるように、スリーブ（１３）の１つの端に印刷してよい。
【０１１３】
いったん適切な長さの医療用包帯製品（１４）を分配し、ロールより切断したならば、それをスリーブ（１３）より取り出し、スリーブ（１３）より取り出し、スリーブ（１３）を捨てる。
【０１１４】
図４および５を参照すると、本発明の他の実施形態において、医療用包帯製品（１４）は、好ましくは１本の管状包装（１８）を密封した回転織機械上で、管内に繊維ガラスのような好適な繊維からなる織られた編み糸によって形成される編織管状繊維体（１６）を含む。
【０１１５】
基体（１６）はあるいは、１本の平坦な編織布を、管を内側から外へひっくり返すことで管の内部上に位置する管の未処理末端で、管内に縫うことで形成してよい。しかしながら、これらの製造工程に含まれる労力のために、管を織ることは基体を形成する最も効率的であり、費用効果的な方法であると信じられている。
【０１１６】
基体（１６）を織ることによって、主要な残っている組立工程は、織られた管を、その中に調製された医療用包帯製品（１４）が包装されているであろうスリーブ（１６）の長さに一般的に相当するように長さに切断することである。
【０１１７】
医療用包帯製品（１４）は、任意の必要な幅、たとえば２．５ｃｍ〜２０ｃｍの間で形成してよい。
【０１１８】
１つの好ましい実施形態には、１０ｃｍ幅スリーブ（１３）内に配置された７．５ｃｍ幅の医療用包帯製品（１４）が含まれる。一般的に、スリーブ（１３）は７．５〜２５ｃｍの間で変化し、その範囲内では２．５ｃｍ〜２０ｃｍの幅を持つ医療用包帯製品が適合する。
【０１１９】
図６、７および８で示したように、基体（１６）は、織られた管（図６）を平らにすることで形成し、２つの主要な、縦方向伸張側面（１６Ａ）、（１６Ｂ）、（図７および８）を形成させる。
【０１２０】
平たくした管はまた、基体（１６）の２つの向かい合った、折り畳まれた末端（１６Ｃ）、（１６Ｄ）を形成する。
【０１２１】
多数の曝露され、外側に突出した織り糸および繊維末端を持つ粗野な切断末端を含む先行技術構造と比較して、これらの末端（１６Ｃ）、（１６Ｄ）は丸く、なめらかで、一体化し、切られていない。
【０１２２】
したがって、切断末端が湿気樹脂の硬化が完了したときに尖った針様突起に硬化するように曝露されることはない。
【０１２３】
さらに、基体は二重層の連続構造として働く、織られた管状層によって強度が増している。
【０１２４】
層を並べるための裁縫は必要なく、製造業者は医療用包帯製品（１４）の幅をよりよく調節する。
【０１２５】
短い長さの基体（１６）を図６、７および８に示す。通常、基体（１６）は形成すべき材料（１４）の長さと同一の長さより長い。
【０１２６】
１本の医療用包帯製品（１４）より切断した時に、切断端が基体（１６）の末端で形成される間、これらの末端は内側に折り畳まれ、及び（又は）編織布及び（又は）管状包装（１８）の二重の厚さで覆われうる（図９）。
【０１２７】
編織管状包装（１８）は、ポリプロピレンまたは、Ｓｍｉｔｈ ＆ Ｎｅｐｈｅｗ，Ｉｎｃ．のギブス部門によって製造されたＯｒｔｈｏ−ＧｌａｓｓＴＭ銘柄合成副子製品上で現在使用されているような他の好適な疎水性繊維のような、やわらかく柔軟性のある編まれていない繊維でできており、この製品は患者の皮膚と硬化した基体（１６）の間で緩衝保護層を提供する。
【０１２８】
基体（１６）は、本質的に湿気のない状態で保持した場合に安定のままであり、しかし硬い、自己支持構造を形成するのに十分な湿気にさらされた時に硬化するような反応システムに含浸させるかまたはコーティングする。
【０１２９】
図１０で示したように、湿気硬化は、水中で医療用包帯製品（１４）を浸すことによって活性化させる。
【０１３０】
ついで過剰の湿気を、たとえばタオルでくるむことによって医療用包帯製品（１４）から絞る。
【０１３１】
あるいは、湿気硬化を、基体（１６）上の反応システムと外気湿気を接触させることによってより長い期間で実施できる。
【０１３２】
図１１を参照すると、適切な長さの医療用包帯製品（１４）を固定されるべき身体の部位の形状に対して形成させる。
【０１３３】
後短脚副子として知られているこの特定の型の副子は、１本の医療用包帯製品（１４）をふくらはぎに対して、そしてかかと上および足上までぴったりとつけることによって形成させる。次いで図１２で示すように医療用包帯製品（１４）を従来の弾力性のある包帯で覆う。
【０１３４】
図１３を参照すると、本発明の他の実施形態にしたがった医療用包帯製品を大きな参照番号（３０）にて示している。
【０１３５】
医療用包帯製品（１４）を、記録し、スリーブ（１３）と同様の物質および構造の湿気耐性容器を形成するように共通の合わせ目にそって熱密封した２つのラミネート加工したシートからなる容器（３１）内に配置する。
【０１３６】
外層は裂け抵抗性プラスチックフィルムからなり、中間層はアルミニウム薄片を含み、湿気バリアーとして機能する。
【０１３７】
内部層は、湿気から守るように容器（３１）の内部を熱密封するのに好適な熱可塑性性質を持つプラスチックフィルムである。
【０１３８】
また、図１１に示すように、容器（３１）は開放可能末端（３３）を持っている拡張分配スリーブ（３２）を含む。これを通して、容器内（３１）の医療用包帯製品（１４）を分配する。
【０１３９】
医療用包帯製品（１４）のコイルは拡張製品保存包装（３４）内に配置し、これは分配スリーブ（３２）と一体化し、連結している。
【０１４０】
分配スリーブ（３２）の末端（３３）は、たとえば上述したクランプ（３６）、またはサンドイッチバッグおよび他の食品保存バッグで典型的である型のジッパーを一体化して形成した「ジップ−ロック（「ジップロック」はエス・シー・ジョンソン・ホーム・ストーリッジ・インコーポレーテッド及び旭化成ライフ＆リビング株式会社の登録商標）」のような任意の好適な型のクランプ（３６）で密封してよい。
【０１４１】
図（１４）に示すように、分配スリーブ（３２）は、医療用包帯製品（１４）の開放口（３３）を密封しない場合に入ってくる空気への曝露を制限するために、医療用包帯製品（１４）の周りにぴったりと適合させる。
【０１４２】
図１４はまた、望ましい長さの医療用包帯製品（１４）はクランプ（３６）を取り除き、医療用包帯製品（１４）の曝露末端をつかむことで分配することを示している。
【０１４３】
適切な長さを容器（３１）より引き出し、医療用包帯製品（１４）は保存包装（３４）内でほどかれる。
【０１４４】
適当な長さを開放口（３３）を通して分配する際はそれを切断し、容器（３１）内に残っている物質（１４）の末端を分配スリーブ（３２）内に押し込みなおす。開放末端（３３）は素早くクランプ（３６）によって再密封する。
【０１４５】
図（１５）に示すように、医療用包帯製品（３０）は、分配カートン（１１）内に配置することが可能であり、容器（３１）の分配スリーブ（３２）はカートン（１１）の底のスロットの外に突き出ている。
【０１４６】
図１６、１７および１８を参照すると、織り繊維または紡ぎ糸を、包帯を横切る水平面または横軸からの異なる角度、および包帯を横切る垂直または縦軸からの異なる角度で示している。
【０１４７】
管状繊維体が縦に伸びている場合、図１８に示すように繊維は縦方向にそって、縦軸からより小さな角度で走り、当該管状繊維体が横に伸びている場合を図１７に示している。
【０１４８】
したがって図１８に示したような編織管状構造は図１７で示した編織管状構造よりも大きな縦強度を持つ。よって図１７で示した編織管状構造は、図１８で示した編織管状構造よりも大きな横強度を持つ。
【０１４９】
図１６は、縦および横強度がほぼ同一である編織管状構造を示している。
【図面の簡単な説明】
【図１】図１は、ディスペンサーから分配されている医療用包帯製品を示している透視概略図である。
【図２】図２は、図１と同様の図であり、湿気の侵入を防ぐために再密封されている医療用包帯製品の使用されなかった部分を示している。
【図３】図３は、医療用包帯製品の切断長の切断した部分を示す透視図である。
【図４】図４は、基本的に図３の線４−４に沿ってとった垂直切断部分である。
【図５】図５は、基体層を明確化のためにあらわにさせた、１本の医療用包帯製品の透視図である。
【図６】図６は、１本の編織管状基体の透視図である。
【図７】図７は、医用包装内に組み込んだ際の、平らにした状態での編織管状基体の側面立面図である。
【図８】図８は、図７で示した基体の透過図である。
【図９】図９は、医用包装を形成するために詰め物内に配置した平らにした編織管状基体を示している切断した部分を示す透視図である。
【図１０】図１０は、湿らせることによる湿気硬化樹脂の活性化を図示している。
【図１１】図１１は、身体部位上の輪郭に適合するように形成した、スリーブから取り出した後の医療用包帯製品を示している。
【図１２】図１２は、包装で覆う方法によって身体部位上の場所に固定化している硬化医療用包帯製品の透過図である。
【図１３】図１３は、他の実施形態にしたがった医療用包帯製品を保持するための分配容器の透視図である。
【図１４】図１４は、図１３で示した分配容器の部分的な切断部分の垂直側面立面図である。
【図１５】図１５は、これも示しているが、その中に分配容器を配置したカートンの透視図である。
【図１６】図１６は、互いにおよそ４５度で、そして包帯を横切る水平軸および垂直軸両方に対しておよそ４５度である編織繊維または紡ぎ糸の図である。
【図１７】図１７は、包帯を横切る水平軸からおよそ３０度であり、包帯を横切る垂直軸からおよそ６０度である編織繊維または紡ぎ糸の図である。
【図１８】図１８は、包帯を横切る水平軸からおよそ６０度であり、包帯を横切る垂直軸からおよそ３０度である編織繊維または紡ぎ糸の図である。
【図１】
0003840592.tif 000002
【図２】
0003840592.tif 000003
【図３】
0003840592.tif 000004
【図４】
0003840592.tif 000005
【図５】
0003840592.tif 000006
【図６】
0003840592.tif 000007
【図７】
0003840592.tif 000008
【図８】
0003840592.tif 000009
【図９】
0003840592.tif 000010
【図１０】
0003840592.tif 000011
【図１１】
0003840592.tif 000012
【図１２】
0003840592.tif 000013
【図１３】
0003840592.tif 000014
【図１４】
0003840592.tif 000015
【図１５】
0003840592.tif 000016
【図１６】
0003840592.tif 000017
【図１７】
0003840592.tif 000018
【図１８】
0003840592.tif 000019